(57)【特許請求の範囲】
【請求項１】
遊技盤に光透過用の貫通孔を開設し、該貫通孔の遊技盤前面側の開口部に対して遊技盤の前面に沿って落下する打球の障害とならないようにレンズ体を付設し、遊技盤背面側の開口部には内部に光拡散用レンズ体若しくはスクリーンを備え、且つその後方にこれら光拡散用レンズ体若しくはスクリーンとの間に間隔を置いて光源を備える光源収納室を臨ませ、これにより前記光源収納室と前記レンズ体とを前記遊技盤の貫通孔を挟んで対向させると同時に、前記レンズ体に対して前記光拡散用レンズ体若しくはスクリーンを前記貫通孔を隔てて対設せしめ、前記光源からの光を前記光拡散用レンズ体若しくはスクリーンを透して前記レンズ体に対して拡散照射することを特徴としたパチンコ機の装飾用、表示用のランプ装置。
【請求項２】
請求項１に記載のパチンコ機の装飾用、表示用のランプ装置において、前記光源収納室は遊技盤背後に付設する入賞球を誘導し集合させる入賞球集合枠と一体に形成することを特徴としたパチンコ機の装飾用、表示用のランプ装置。
【請求項３】
請求項１又は２に記載のパチンコ機の装飾用、表示用のランプ装置において、前記光源収納室は合成樹脂を材料にその内部に設ける前記光拡散用レンズ体若しくはスクリーンと共に一体に形成することを特徴としたパチンコ機の装飾用、表示用のランプ装置。
【請求項４】
請求項１乃至３に記載のパチンコ機の装飾用、表示用のランプ装置において、前記レンズ体には前面に突き出す入賞口と、後部に向け突き出し前記入賞口に連通する球通路とを一体に形成して該球通路を前記貫通孔に通して遊技盤の背面部に付設する入賞球通路に接続し、前記入賞口に入賞する球を前記球通路を通して前記入賞球通路に送ることを特徴としたパチンコ機の装飾用、表示用のランプ装置。
【発明の詳細な説明】
【技術分野】
【０００１】
本発明は、パチンコ機の遊技盤に設置される装飾用乃至表示用のランプ装置に関する。
【背景技術】
【０００２】
パチンコ機の遊技盤には各種装飾用乃至表示用のランプ装置が設置されている。
このランプ装置は入賞球が飛入したとき、或は入賞球の飛入によって設定する遊技の役が成立したとき等に点灯させ、或は点滅させて入賞球があったことを、或は設定する遊技の役が成立して大規模な入賞条件が整ったこと等を表示し、遊技者に告知すると共に、視覚的な満足感を与えるべく使用されている。
【０００３】
ランプ装置の多くは遊技盤面に設置される入賞装置や、可変表示装置の内部に組込まれてこれらの装置と連動する状態で点灯，点滅するものとなっているが、遊技盤を装飾するものは単独で設置されることが多い。
一般にその多くは遊技盤のレールで囲まれる遊技部の外、つまり遊技盤の周辺部に設置されるが、遊技部の内側にも設置されている。この場合、遊技部の中央部に設置される入賞装置や可変表示装置を避けてレールに沿った内側の左右の側部や、下方の部分に設けられることが多い。
【０００４】
通常、ランプ装置は表面をレンズ体に形成した半透明のプラスチック製のカバー（レンズ体）で被ったケースの中にランプを収め、このランプの点灯，点滅を上記カバーを通して視覚させるようにしている。そして、遊技盤に対しての取付けは前面側からケースを添わせ、このケースに備える取付基板をビス止めする等して止着している。
従って、一般にランプ装置は遊技盤から前方に突出した状態で設置されることになっており、このためパチンコ球が通過する遊技盤の中央部付近に設置することは勿論のこと、周辺部でも通過領域、例えばアウト球口が設けられる遊技部下部の打球の集中落下領域には障害物となるため設置することが困難であり、実際には設置できない状況にある。
【０００５】
当然のことながらランプ装置は、表面のレンズ体を輝かせるため背後に光源となるランプを備えるが、遊技盤の表面側にケースを設置すれば、レンズ体、つまりレンズ体を形成するカバーが遊技盤面から突出して打球の落下を妨げる障害物となることは避けられない。
【０００６】
従来、この問題を解決する一つの方法として、底板の上面にパチンコ球の誘導路を形成する２条の側板を起立し、その一方、底板の下面に内部に表示器、つまりランプを格納するケースを設けて、このケースを遊技盤に開設する透孔に嵌め入れ、上記底板を遊技盤の前面と同一面に揃えてこの遊技盤の前面に沿って流下する打球を前記誘導路に受け入れ誘導し、同時に、前記底板に開設する前記表示器用の孔を通して光を上記誘導路を通過する打球に当て、飾るようにした装置が特許文献１によって提案されている。
【先行技術文献】
【特許文献】
【０００７】
【特許文献１】特許第２７７３０３５号公報。
【０００８】
上記特許文献１に係る従来例は、底板を遊技盤の前面と同一面に揃えることからこの底板の前面を誘導路に沿って打球が通過し、この通過球を背後のケース内に備える表示器によって照射できるものとなっている。しかし、上記底板は表示用の小孔を通して光を球に当てるものであり、レンズ体とは異なるものであると同時に、レンズのように光を広く拡散させて装飾するものではない。
しかも、ケースに収められる表示器、つまり光源は小さな孔を通して光を前方に届ける必要があることから、図示されるように前記底板の背面に近接して設けられるものとなっており、広く底板の全体を通して前方に光を拡散照射するレンズの機能をここに求めることはできないものとなっている。
【発明の概要】
【発明が解決しようとする課題】
【０００９】
本発明は、表面にレンズ体を有し、このレンズ体を通してその背後に備える光源の光を前方に拡散照射して明瞭に光源の点灯，点滅を表現するランプ装置であって、上記レンズ体を遊技盤の前面に面一に揃えてこのレンズ体の前面を打球が落下し通過することが可能になるようにし、その一方、レンズ体に対する前記光源からの光を拡散した状態で照射し、しかも均一に斑なく照射できるようにした装飾用の、或は表示用に使用されるランプ装置を提供しようとするものである。
【００１０】
特に本発明は、装飾用，表示用のランプ装置として使用される際に、遊技盤の前面を落下する打球に対する障害物とならないようにすると共に、前記従来例の如く誘導路を通る球を照す如く限られた狭い範囲の照明に止まることなく広い範囲に亘って、即ち大型のレンズ体に対して均一に拡散した光を照射できるようにしたランプ装置を提供しようとするものである。
【課題を解決するための手段】
【００１１】
本発明は、上記目的を達成するため、遊技盤に光を通すための透過用の貫通孔を開設し、この貫通孔の前面側の開口部にレンズ体を付設し、このレンズ体表面と遊技盤前面とを揃えて遊技盤の前面に沿って落下する打球の障害とならないようにする一方、前記貫通孔の遊技盤の背面側の開口部に内部に光拡散用のレンズ体若しくはスクリーンを備え、その後方に光源を備えてる光源収納室を臨ませ、前記光源からの光を前記光拡散用レンズ体若しくはスクリーンを透して前記レンズ体に拡散照射するようにしたランプ装置を提供することにある。
【００１２】
更に本発明を詳述すると、その特徴とするところは、遊技盤に光透過用の貫通孔を開設し、該貫通孔の遊技盤前面側の開口部に遊技盤の前面に対して面一となるレンズ体を付設し、一方、前記貫通孔の遊技盤背面側の開口部には内部に光拡散用レンズ体若しくはスクリーンを備えると共に、その後方にこれらとの間に間隔を置いて光源を備える光源収納室を臨ませ、該光源収納室と前記レンズ体とを前記遊技盤の貫通孔を挟んで対向させ、これにより前記レンズ体に対して前記光拡散用レンズ体若しくはスクリーンを所要の間隔を置いて対設せしめ、前記光源からの光を前記光拡散用レンズ体若しくはスクリーンを透して前記レンズ体に拡散照射することを特徴としたパチンコ機の装飾用，表示用のランプ装置を提供することにある。
【００１３】
また本発明は、前記光源収納室について、これを筒形に形成して内部を前記光透過用の貫通孔に連通させ、内周に前記光拡散用レンズ体若しくはスクリーンを嵌め入れ、その背後に備える光源の光を透過拡散させてレンズ体を照射するようにしたことを特徴とするパチンコ機の装飾用，表示用のランプ装置を提供するものでもある。
【００１４】
また本発明は、前記光源収納室は前記遊技盤の背後に付設する入賞球を誘導し集合させる入賞球集合枠と一体に形成することを特徴としたパチンコ機の装飾用，表示用のランプ装置を提供するものでもある。
【００１５】
また本発明は、前記光源収納室について合成樹脂を材料にその内部に設ける光拡散用レンズ体若しくはスクリーンと共に一体に成形することを特徴としたパチンコ機の装飾用，表示用のランプ装置を提供する。
【００１６】
また本発明は、前記レンズ体には前面に突き出す入賞口と、該入賞口に連通する球通路を一体に形成し、前記入賞口に入賞する球を前記球通路を通して前記遊技盤背面部に付設する入賞球通路に送ることを特徴としたパチンコ機の装飾用，表示用のランプ装置を提供する。
【００１７】
また更に本発明は、前記形成される合成樹脂製の光源収納室には前記遊技盤背面部に付設する入賞球通路を一体に形成することを特徴としたパチンコ機の装飾用，表示用のランプ装置を提供する。
【００１８】
また本発明は、前記光源収納室には光源を止着する止着部を一体に形成することを特徴としたパチンコ機の装飾用，表示用のランプ装置を提供するものでもある。
【００１９】
上記本発明における前記レンズ体及び前記光源収納室は、その成形性と製造費用の上から最も合成樹脂を材料に成形し製造することが有利であるが、これに限られるものではなくその他の材料、例えばレンズ体について、通常のガラス製のレンズと同様にガラスであってもよい。
【００２０】
このレンズ体については、貫通孔の遊技盤前面側の開口部に装着するためレンズ体の周縁部に沿って貫通孔の内壁面に係止する係止手段を一体に設けておくことが有利である。  この係止手段の一つの選択としてレンズ体の周縁部に貫通孔の内壁面に適合した装着用筒部を形成し、この筒部の嵌合によって装着するようにすると貫通孔に対して適切に、且つ容易にレンズ体を装着することが可能になる。
【００２１】
この場合、上記装着用筒部はレンズ体の装着手段として利用する他に、外に向けて拡張する鍔部を設けて装飾部を形成し、レンズの嵌め付け状態を外観させないようにするとよい。尚、この装飾部は遊技盤に対する止着のための取付手段としても利用されることは言うまでもない。
【００２２】
一方、貫通孔の後方の開口部に臨んで設けられる前記光源収納室は、遊技盤の背後に取付くことによって内部に格納する光拡散用レンズ体若しくはスクリーンと貫通孔の前方の開口部に付設される前記レンズ体との間に光を均一に拡散させるに必要な距離を確保するものとなる。この収納室には前記光拡散用レンズ体若しくはスクリーンの後方の位置に光源が設備されることになる。
【００２３】
上記光源については種類を特定されないが、耐久性や電力の消費量の点からＬＥＤ発光体が適しており、できれば複数の発光体を平面的に配置して光の広がりを作るようにするとよい。この場合、固定する取付手段としてＬＥＤをプリント基板に植設し面的に複数の光源を配置固定し、また光源収納室には取付台を設備してその取り付けを行うようにするとよい。
【００２４】
上記光源収納室については、単独に成形する場合と、遊技盤の背面側に送られる入賞球を集め誘導する入賞球集合枠、所謂セット板と組合せて一体に成形する場合とがある。
上記入賞球集合枠は、一般には合成樹脂を材料にして前面に入賞球の誘導路を形成する浅い箱形に形成されるが、これに光源収納室を一体に成形する場合には、入賞球集合枠の一部を拡張して収納室とし、その内部に光拡散用レンズ体やスクリーンを張り、またこれらの背後に光源を備えることになる。
【００２５】
ところで、光拡散用レンズ体若しくはスクリーンは、光源の光を分散し、レンズ体に対して均一に拡散させて照射斑を解消するものとして介挿されるが、前記光源収納室に組み入れることによって取付けが容易になる。そして、遊技盤の貫通孔の前方の開口部に付設されるレンズ体に対して貫通孔の後方の開口部に取付られる光源収納室に備えられることにより、この両者間に充分な距離を採ることができることになる。
この様なことから、本発明ではレンズ体に対して光を効果的に分散して照射することができるものとなり、また、この光拡散用レンズ体、スクリーンは複数の光源によって大型のレンズ体を照射する場合にも間に充分な距離を確保できることから例えば高輝度の差から生じる光斑の解消にも有効に作用し、常にレンズ体に対して均一な光を当てることが可能になるのである。
【００２６】
また、上記光源収納室について、遊技盤の後部には充分な空間が存在し、設計上後方への拡張が可能であることから、照射するレンズ体の大きさや、光の強さ等によって適正な光源の位置を求める場合、光拡散用レンズ体若しくはスクリーンの設置位置、光源の設置位置を自由に定めることができるものとなる。従って、レンズ体の大きさ等に影響されることなく常に適正なランプ装置を提供することができるものとなる。
【発明の効果】
【００２７】
以上のことから、上記本発明によれば、遊技盤の前面に揃えてレンズ体を設備することにより遊技盤面を落下する打球がこれに衝突し、落下を妨げられることがないので、打球の落下通路となる場所にもランプ装置を設置することができることになり、そのため遊技盤面に設置するその他の装置類と共にその配置についての設計上の自由度を広げることができる。
【００２８】
また、上記レンズ体に照射される光は、遊技盤の貫通孔を通してその背後に備える光源収納室に収納する光拡散用レンズ体若しくはスクリーンを透過させた光源からの光であって、この光源とレンズ体との間に充分な拡散のための距離が確保されることから均一に拡散した、しかもレンズ体全面に亘って安定した光となって照射できるものとなることから光斑のない美麗な光を発するランプ装置を提供することができる。
【００２９】
しかも、上述のように本発明はレンズ体に対する光源の光斑を解消することができることからレンズ体の大型化を図ることができ、又これにより形状の自由度が与えられることからランプ装置の設計が自由になり、遊技盤の装飾に適したランプ装置を提供することができる。  
【図面の簡単な説明】
【００３０】
【図１】遊技盤の一部省略した正面図である。
【図２】遊技盤本体となるベニア板の正面図である。
【図３】遊技盤の背面に付設される入賞球集合枠の正面図である。
【図４】遊技盤の分解斜視図である。
【図５】図４の要部の拡大図である。
【図６】遊技盤を分解した拡大縦断右側面図である。
【図７】遊技盤の拡大縦断右側面図である。
【図８】入賞球集合枠の部分拡大正面図である。
【発明を実施するための最良の形態】
【００３１】
添付する図面は、本発明に係るランプ装置の実施形態を示したものである。ここに示される遊技盤１は、所謂分離式パチンコ機におけるパチンコ機本体に対して着脱自由に装着される遊技盤であり、この遊技盤１の前面には周縁部に沿って中央部を囲むようにバンド２を付設し、遊技部３を形成しており、左方下端から図示しない発射装置により打ち出される打球を内外のバンド２ａ，２ｂ部分によって形成される誘導通路４を通してこの遊技部３に受け入れるようにしてある。
【００３２】
上記遊技部３の中央部には、図示しない液晶画面を備える可変表示装置を装着するための大型の透孔５が開設してある。この透孔５の中央部直下に始動用入賞口６を、その左右に通過口７，７を、そしてこれらの入賞口６，７の直下に開閉する扉８を備えた所謂大入賞口である可変入賞装置９を設けている。
【００３３】
そして、上記遊技部３には中央部に沿って縦に配置される上記各入賞口６，７，８を挟んで左右対称形にレンズ体１０を一体に備える入賞口１１と、レンズ体１２を一体に備える入賞口１３を設けている。
【００３４】
上記各入賞口６，７，９及び入賞口１１，１３は前記透孔５と同様に遊技盤１の本体を構成するベニア板１ａに穿つ透孔に対応して取付けられるもので、図２にはこのベニア板１ａに開設される各透孔を示している。
図面の透孔６ａは、前記始動用入賞口６のための透孔であり、透孔７ａ，７ａは通過口７，７に設けられる検出スイッチを取付るためのものである。また、透孔９ａは大入賞口９のための透孔であり、貫通孔１０ａと貫通孔１２ａはレンズ体１０，１２に備えた入賞口１１，１３のための透孔である。
【００３５】
上記それぞれの入賞口６，７，９，１１，１３は、それぞれに設ける鍔状に張り出す取付基板を遊技盤１の前面に添わせ、ビス止めすることで固定し、各透孔乃至貫通孔に連通させる一方、遊技盤面から突き出た状態で取付くことになる。
この中で、レンズ体１０と一体をなす入賞口１１と、レンズ体１２と一体をなす入賞口１３はそれぞれの開口部１４，１５を各レンズ体１０，１２の表面上に突出した状態で形成している。
【００３６】
ここにおける上記レンズ体１０，１２は、本発明に係るランプ装置のレンズ体であって、これに一体に形成された入賞口１１，１３は遊技盤上のこのレンズ体１０，１２を配置する位置に配置すべく用意された入賞口であり、この両者は相互の接近から一体のものとして成形してある。このレンズ体１０，１２と入賞口１１，１３とは成形性から、また取扱いの容易性からこの様に一体成形しているが、別体にして個別に取扱えるようにすることを妨げるものではない。
【００３７】
さて、このレンズ体１０，１２を備えた入賞口１１，１３につき更に詳述すると、レンズ体１０を備えた入賞口１１は、平面状に形成されるレンズ体１０の周縁部に張り出すように形成する取付基板１６の一部に接続させて一体化してあり、その開口部１４をこの取付基板１６及びレンズ体１０の表面から突き出すようにしてある。そして、レンズ体１０の周縁部下面には前記貫通孔１０ａの内壁面に添わせる装着用筒部１７を延設し、この装着用筒部１７を遊技盤１に開設する貫通孔１０ａに突き入れ、上記取付基板１６を遊技盤１の前面に当接し、これをビス止めすることで取付けられるようにしてある。
【００３８】
上記入賞口１１は、開口部１４に続けて球通路１８を後方に向けて延設し、この球通路１８を上記装着に併せて貫通孔１０ａに突き入れるとき、遊技盤１の背後に設ける後述する光源収納室に一体的に形成する入賞球通路に接続させることになる。
【００３９】
一方、入賞口１３は、上記同様に平面的に形成されるレンズ体１２の周縁部に沿って形成される取付基板１９に一部を接続させることによって一体化してあり、その開口部１５を上記取付基板１９及びレンズ体１２の表面上に突出させてある。そして、レンズ体１２の周縁部下面（実質的には使用時に背面側となる。）に装着用筒部２０を延設し、この装着用筒部２０を前記貫通孔１２ａに挿入してその内壁面に添わせる一方、取付基板１９を遊技盤１の前面に添わせてビス止めし、装着する。
【００４０】
上記入賞口１３にも前記開口部１５に続く球通路２１が後方に向けて延設してあり、前記遊技盤１に対する装着の際、貫通孔１２ａに通してその後端を後述する入賞球通路に接続できるようにしてある。
【００４１】
尚、ここにおける貫通孔１０ａ，１２ａは、それぞれレンズ体１０，１２を備える入賞口１１，１３の入賞球を遊技盤後方へ送り込むための通路となっているが、同時にこの貫通孔１０ａ，１２ａはレンズ体１０，１２に対し、後方に備える光源からの光を透過させるための貫通孔となっており、そのためこの貫通孔１０ａ，１２ａはレンズ体１０，１２に合せた大きさと形状に形成してある。
【００４２】
入賞球集合枠２２は所謂セット板と称せられる入賞球の球寄せ設備であり、遊技盤１の背面に付設して前記各入賞口６，９からの入賞球を受け入れ、これを誘導するためのものである。この入賞球集合枠は浅い箱形に形成して前記遊技盤１に設ける複数の入賞口の全体を背後からカバーできるようにしてあり、上記入賞口６，９からの入賞球を下辺の誘導壁２３を通して検出スイッチ（図示せず）を装備する入賞球通路２４に誘導し、系外に送り出せるようにしてある。
【００４３】
図中、２５は前記レンズ体１０に付設した入賞口１１に入賞した入賞球を前記球通路１８から受け入れる入賞球通路であり、前記入賞球集合枠２２の誘導壁２３とは独立して設けてある。また、２６は前記レンズ体１２に付設した入賞口１３の球通路２１に接続してこの入賞口１３に入賞した入賞球を受け入れるため同じく集合枠２２の誘導壁２３とは独立させて形成した入賞球通路である。
【００４４】
また、２７は前記貫通孔１０ａの背面側の開口部に対面させて形成した光源を収納するための光源収納室であり、２８は光源として準備されるＬＥＤ２９を前面に装備した配線基板であり、３０は収納室２７内にあって上記ＬＥＤ２９の前面を塞ぐ光拡散用のレンズ体である。そして、３１は貫通孔１２ａの背面側開口部に臨ませた別の光源収納室であり、３２は前面にＬＥＤ３３を装備した配線基板である。尚、この配線基板３２の前面には図示しないが上記光拡散用レンズ体３０と同様に上記ＬＥＤ３３の前面を塞ぐ光拡散用のレンズ体が装備されることになる。
【００４５】
上記２つの光源収納室２７，３１は、周囲を囲んだ筒形に形成してあり、ここでは入賞球集合枠２２の外側に続けて合成樹脂を素材にして一体に設けるものとしてある。この一体的成形に当って各収容室２７，３１の内周に同一素材によって表面に多数の小突起を列設してなる光拡散用レンズ体３０を形成してある。また、この収容室２７，３１の内壁には前記配線基板２８，３２を固定するための止着部３４をそれぞれ一体に形成し、配線基板の取付けの足場としている。
【００４６】
上記光拡散用レンズ体３０は、光源となるＬＥＤ２９に対して所定の距離をおいて設置され、また同時に、レンズ体１０，１２との間にも所定の距離を保つことから光源収納室２７，３１の成形に当って一体に成形することが有利である。ことに、光拡散のため表面に形成する多数の小突起は光源収納室２７，３１と共に、更には入賞球集合枠２２と共に一体に成形することが可能であることからこの方法によることが適切である。
【００４７】
勿論、上記光拡散用レンズ体３０については光源収納室と別体に形成し、嵌め入れることで設置するのを排除するものではないが、この光源収納室２７，３１の成形時に同時に一体成形することは組立てに手数を掛けることがなく、また設計上の適正な位置に設置できることからも有利である。
【００４８】
次に、図６は、遊技盤１の本体となるベニア板１ａと、このベニア板１ａの前面側から装着される入賞口１１，１３を設けてなるレンズ体１０，１２と、背面側から装着される入賞球集合枠２２とを分解して示した縦断右側面であり、図７はベニア板１ａを中心にして前後からレンズ体１０，１２、入賞球集合枠２２を添わせて組付けた縦断右側面図である。
【００４９】
上記組付けによって明らかであるように、レンズ体１０は遊技盤の貫通孔１０ａを挟んで光源収納室２７と対向し、その光源のＬＥＤ２９と光拡散用レンズ体３０を介して向き合うことになる（尚、図６，図７においては貫通孔１２ａを介してレンズ体１２と光源収納室３１との向き合いを省略している。）。
この両者は、貫通孔１０ａを間に介在させ、且つ光源収納室２７の奥行によって所要の間隔を置いて対向することになり、その間に光拡散用のレンズ体３０を介挿することでＬＥＤ２９からの光を拡散させた状態でレンズ体１０に照射することができるものとなっている。
【００５０】
尚、ここでは光源となるＬＥＤ２９（３３）の前面に光拡散用のレンズ体３０を配置したが、これに代えて同じく光を拡散するためのスクリーンを張設し、拡散効果を挙げるようにしてもよい。
【００５１】
また、前記光源収納室２７，３１について、これを入賞球集合枠２２に組合せて一体に形成する場合につき説明しているが、別体に形成することを妨げるものではない。ただ、レンズ体１０，１２を他の入賞装置を避けた周辺部や下辺部に設置する場合は、本来設けられる入賞球集合枠２２の外側に位置することになるためこの集合枠と一体的に成形しても重なり合うことがなく成形が可能となると共に、構造的に無理がなく成形でき、しかも遊技盤１に対する取り付けが同時に行えることから製造上も有利になる。
【００５２】
以上、本発明に係るランプ装置を図面の実施形態に基いて説明したが、遊技盤１に装着されるレンズ体１０，１２は、いずれもこの遊技盤の前面に揃えて同一面となし、且つレンズ体の表面には前述したように特別に入賞口１１や１３を装備しない限り何も突出するものを備えないことから、盤面を落下する打球は何の障害もなくこのレンズ体１０，１２の表面、つまり前面を通過することができることになる。
従って、この様に当該ランプ装置は打球の障害とならないことから自由に設置位置を選択することが可能であり、同時に、当該実施の形態におけるように大入賞口９の両側方の狭く、且つ最も打球の通過の激しい領域に対しても設置することが可能になる。
【００５３】
そして、本発明ランプ装置は、上述のように設置位置の制限から解放されることに併せて、当該実施形態におけるように、レンズ体と入賞口とを一体にして両者の接近を可能にすることができることから、この入賞口の装飾手段として、或は入賞を表示する表示手段として利用することができ、従来にない装飾性に富んだ遊技盤を提供することができる。
【００５４】
その一方、上記レンズ体を背後から照らす光源は、遊技盤に開設する貫通孔１０，１２を通して更に後方に設備する光源収納室２７，３１に収納され、レンズ体１０，１２と充分な距離を確保することができ、且つこの間に光拡散用のレンズ体３０やスクリーンを配置して光を拡散することから光源からの光をレンズ体１０，１２の全体に対して均一な輝度において照射することができ、美麗に発光させることができることになる。
【００５５】
また、上記光源収納室２７，３１は成形によって奥行深さを選択することが可能であることからレンズ体に対する距離を自由に設定することができ、最も適した光の照射を実現できると共に、中間に配置する光拡散用レンズ体、或はスクリーンの介挿に当ってはこの介挿の空間を自由に設定することができるので例えば光源の光度に応じた位置設定が可能となる。
【００５６】
尚、実施に当って前記収納室３０とセーフ球通路２６とを独立に設けることなく、前述のように入賞球誘導室２２の下方に一体に備える場合は、入賞球通路２６の設置場所が制約されることになるが、この場合の対策として光源収納室２７乃至３１の背面側に入賞球通路２６を迂回して配設すればよく、設置空間を確保することができる。勿論、この場合合成樹脂を材料としたとき、収納室２７，３１と入賞球通路２５，２６とが前後２段に重なることから成形時には通路２５，２６の壁部を押切りによる一体成形法を以て成形することになる。
【符号の説明】
【００５７】
１                遊技盤
１０，１２        レンズ体
１１，１３        レンズ体に一体に形成した入賞口
１０ａ，１２ａ    遊技盤に形成した貫通孔
１８，２１        球通路
２５，２６        入賞球通路
２７，３１        光源収納室
２８，３２        配線基板
２９，３３        光源たるＬＥＤ発光体
３０              光拡散用レンズ体
【図１】
0005417379.tif 000002
【図２】
0005417379.tif 000003
【図３】
0005417379.tif 000004
【図４】
0005417379.tif 000005
【図５】
0005417379.tif 000006
【図６】
0005417379.tif 000007
【図７】
0005417379.tif 000008
【図８】
0005417379.tif 000009